(57)【特許請求の範囲】
【請求項１】
内部にバッテリ収納部を有し、主機器の載置面部と接合される装着面部が外周部の一側面部に形成された筐体と、
この筐体のバッテリ収納部に収納されるバッテリとを備え、
上記筐体の装着面部には、この装着面部に直交して主機器側に突き当る突当面に開口する開口端部を有し、この開口端部から主機器への装着方向と平行な識別用溝部が凹設され、
上記筐体には、外周部の装着方向に平行な装着面部と直交する両側面部に少なくとも一対のガイド溝がそれぞれ凹設され、
上記識別用溝部は、装着面部の中心線に対していずれか一方側に偏った位置に凹設されるとともに、この識別用溝部の終端に対してガイド溝の始端が突当面側に位置されたことを特徴とするバッテリ装置。
【請求項２】
上記バッテリ収納部は、断面円弧状の個別内壁を連設することによって、複数の略円柱状のバッテリを並列して収納可能とする空間部として構成され、上記個別内壁の肉厚連設部分に対応した装着面部に上記識別用溝部を凹設したことを特徴とする請求項１記載のバッテリ装置。
【請求項３】
上記識別用溝部には、互いに平行な取付け溝部が隣接して凹設されるとともに、この取付け溝部に臨んでバッテリが充電済状態又は未充電状態であるかを表示する充電識別用部材が移動自在に設けられたことを特徴とする請求項１乃至２記載のいずれか１項に記載したバッテリ装置。
【請求項４】
上記筐体には、上記識別用溝部の開口端部が設けられた一側面部の両端部に位置して、上記バッテリ収納部に収納されたバッテリと接続された端子がそれぞれ設けられたことを特徴とする請求項１乃至３記載のいずれか１項に記載したバッテリ装置。
【請求項５】
内部にバッテリ収納部を有し、主機器の載置面部と接合される装着面部が外周部の一側面部に形成された筐体と、この筐体のバッテリ収納部に収納されるバッテリとを備え、上記筐体の装着面部には、この装着面部に直交して主機器側に突き当る突当面に開口する開口端部を有し、この開口端部から主機器への装着方向と平行な識別用溝部が凹設されたバッテリ装置と、
このバッテリ装置が装着される載置面部が外周部の一側面部に形成され、かつこの載置面部と直交する突当面に一端部が連設されてこの載置面部に一体に突出形成されたリブ状の識別用凸部を有する筐体を備えた主機器とから構成され、
上記バッテリ装置の識別用溝部に上記主機器の識別用凸部が挿脱自在に組合わされ、
上記バッテリ装置は、装着方向に平行な装着面部と直交する両側面部に少なくとも一対のガイド溝がそれぞれ凹設され、上記識別用溝部が、上記装着面部の中心線に対していずれか一方側に偏った位置に凹設されるとともに、この識別用溝部の終端に対してガイド溝の始端が突当面側に位置され、
上記主機器には、載置面部の両側端部に装着方向に平行な載置面部に直交する少なくとも一対のガイド壁がそれぞれ一体に突出形成されるとともにこれらのガイド壁の内面壁にガイド突部がそれぞれ設けられ、上記識別用凸部が、上記載置面部の中心線に対していずれか一方側に偏った位置に一体に突出形成されるとともに、この識別用凸部の終端に対してガイド突部の始端が突当面側に位置され、
上記バッテリ装置を上記主機器に装着する際に、バッテリ装置に凹設されたガイド溝に主機器に設けられたガイド突部が当接する装着初期状態で、上記識別用溝部に上記識別用凸部が挿入されることを特徴とするバッテリ装置の装着装置。
【請求項６】
上記バッテリ装置は、上記識別用溝部と互いに平行な取付け溝部が隣接して凹設されるとともに、この取付け溝部に臨んでバッテリが充電済状態又は未充電状態であるかを表示する充電識別用部材が移動自在に設けられ、
上記主機器は、上記識別用凸部の基端部に上記バッテリ装置に設けられた上記充電識別用部材を押し込ませる操作部が一体に突出形成されたことを特徴とする請求項５記載のバッテリ装置の装着装置。
【請求項７】
上記充電識別用部材には、上記主機器の載置面部に臨む切欠き溝が凹設され、
上記主機器には、上記操作部と中心線が一致する位置に、上記充電識別用部材に凹設された切欠き溝と係合する係合突部が一体に突出形成され、
上記バッテリ装置の装着面部が上記主機器の載置面部から移動されて取り外される際に、上記切欠き溝に上記係合突部が係合することによって、上記充電識別用部材が引き出されて移動することを特徴とする請求項６記載のバッテリ装置。
【発明の詳細な説明】
【０００１】
【産業上の利用分野】
本発明は、充電型電池又は乾電池が内蔵されたバッテリ装置、及びこのバッテリ装置とこのバッテリ装置を電源とする携帯型電子機器等の主機器とから構成されるバッテリ装置の装着装置に関する。
【０００２】
【従来の技術】
携帯型のビデオテープレコーダ、テーププレーヤ、ビデオカメラ或いはディスクプレーヤ等の電子機器においては、一般に、駆動電源として直流変換アダプタを介して供給される商用電源の他に、充電型電池又は乾電池等の直流電源が使用可能に構成されている。
【０００３】
したがって、これらの電子機器等においては、機器筐体の一部にバッテリ装着部が構成され、このバッテリ装着部に充電型電池又は乾電池等が内蔵されたバッテリ装置が組み合わされる。また、充電型電池を内蔵したバッテリ装置は、充電容量が消耗した際に、直流変換アダプタを備える充電機等の主機器に構成されたバッテリ装着部に装着されて充電される。
【０００４】
従来のバッテリ装置について図１３を参照して説明する。このバッテリ装置５１は、概略、内部にバッテリ収納部を有する筐体５１Ａと、このバッテリ収納部に収納される図示しない充電型電池と、この充電型電池と接続された端子４８Ａ、４８Ｂとから構成されている。
【０００５】
筐体５１Ａは、外周部の底面側に位置して後述する主機器５２に当てがわれる略矩形状の装着面部５１Ｂを有し、バッテリ収納部には２本の略円柱状の充電型電池が並列した状態でそれぞれ収納されている。装着面部５１Ｂには、バッテリ収納部に収納された充電型電池の外周部によって包囲された空間に位置して、この装着面部５１Ｂと直交する突当面に一端部が開口する取付け溝部４０が装着方向に亘って平行に凹設されている。
【０００６】
この取付け溝部４０には、充電状態を表示する充電識別用部材４１が移動自在に配設されている。この充電識別用部材４１は、取付け溝部４０に亘って移動され、移動された位置により、バッテリ収納部に収納された充電型電池が充電完了状態又は未充電状態であるかを表示する。
【０００７】
また、装着面部５１Ｂには、取付け溝部４０の中心線を一致する位置に、略矩形状の溝部４３が形成されており、またこの溝部４３の中心線と一致する略中央部に位置して、略矩形状の装着ガイド溝部４４が凹設されいる。さらに、この装着ガイド溝部４４と中心線が一致する位置に略矩形状の装着保持溝部４５が凹設されている。
【０００８】
筐体５１Ａには、装着面部５１Ｂに一端部が開口する略Ｌ字状の第１のガイド溝４６Ａ及び第２のガイド溝４６Ｂとが、装着方向に平行な一側面部に亘って直列した状態でそれぞれ凹設されている。また、筐体５１Ａには、第１のガイド溝４６Ａ及び第２のガイド溝４６Ｂとがそれぞれ凹設された一側面部と対向する側面部に、第１のガイド溝４６Ａと対向位置する第３のガイド溝４６Ｃ、及び第２のガイド溝４６Ｂと対向位置する第４のガイド溝４６Ｄとがそれぞれ凹設されている。
【０００９】
上述したバッテリ装置５１が装着される主機器５２について図１４を参照して説明する。この主機器５２は、概略、バッテリ装置５１が装着される載置面部５２Ｂを有する筐体５２Ａと、バッテリ装置５１の端子４８Ａ、４８Ｂと接続される接続端子４９Ａ、４９Ｂとから構成されている。
【００１０】
筐体５２Ａは、載置面部５２Ｂに直交する突当面５２Ｅに、一端部が連設された略矩形状の操作突部５８が載置面部５２Ｂに一体に突出形成されている。載置面部５２Ｂには、この操作突部５８の中心線と一致する位置に略矩形状の開口部５３が設けられ、この開口部５３の一側端部から略矩形状の係合部５４が一体に突出形成されている。この係合部５４は、基端部を支点として弾性変位自在に形成されており、また先端部に係合突部５４Ａが一体に突出形成されている。
【００１１】
また、載置面部５２Ｂには、係合部５４の中心線と一致する位置に、略楕円柱状の装着ガイド部５５が一体に突出形成されている。さらに、載置面部５２Ｂには、装着ガイド部５５の中心線と一致する位置に、略矩形状の開口部５６が設けられ、この開口部５６の一側端部から略矩形状の装着保持部５７が一体に突出形成されている。この装着保持部５７は、基端部を支点として弾性変位自在に形成されており、また先端部に装着保持突部５７Ａが一体に突出形成されている。
【００１２】
筐体５２Ａは、載置面部５２Ｂの装着方向に平行な両側端部に、載置面部５２Ｂと直交し、かつ装着方向に平行な一対のガイド壁５２Ｃ、５２Ｄがそれぞれ一体に突出形成され、一方のガイド壁５２Ｃの内面壁に、略Ｌ字状の第１のガイド突部４７Ａ及び第２のガイド突部４７Ｂとが直列した状態でそれぞれ一体に突出形成されている。
【００１３】
また、筐体５２Ａには、第１のガイド突部４７Ａ及び第２のガイド突部４７Ｂとがそれぞれ一体に突出形成された一方のガイド壁５２Ｃの内面壁と対向位置する他方のガイド壁５２Ｄの内面壁に、第１のガイド突部４７Ａと対向する第３のガイド突部４７Ｃ、及び第２のガイド突部４７Ｂと対向する第４のガイド突部４７Ｄとがそれぞれ一体に突出形成されている。
【００１４】
さらに、筐体５２Ａは、載置面部５２Ｂと直交する突当面５２Ｅの両側端部に、第１の接続端子４９Ａ及び第２の接続端子４９Ｂとがそれぞれ設けられている。これら第１の接続端子４９Ａ及び第２の接続端子４９Ｂは、図示しない直流変換部と接続されている。
【００１５】
そして、これら第１の接続端子４９Ａ及び第２の接続端子４９Ｂは、断面略コ字状の保護部材５０によって保護されている。この保護部材５０は、装着方向に移動自在に設けられており、図示しない弾性部材が弾性変位することにより突当面５２Ｅ側に移動して、第１の接続端子４９Ａ及び第２の接続端子４９Ｂをこの保護部材２２からそれぞれ突出させる。
【００１６】
上述したバッテリ装置５１を主機器５２に装着する操作、及びバッテリ装置５１に配設された充電識別用部材４１の動作について以下説明する。まず、バッテリ装置５１に凹設された第１のガイド溝４６Ａ乃至第４のガイド溝４６Ｄに、主機器５２の載置面部５２Ｂの一対のガイド壁５２Ｃ、５２Ｄの内面壁に一体に突出形成された第１のガイド突部４７Ａ乃至第４のガイド突部４７Ｄがそれぞれ当接する。
【００１７】
そして、バッテリ装置５１は、装着方向に沿って移動操作されることに伴って、このバッテリ装置５１に凹設された第１のガイド溝４６Ａ乃至第４のガイド溝４６Ｄに沿って、主機器５２のガイド壁５２Ｃ、５２Ｄに一体に突出形成された第１のガイド突部４７Ａ乃至第４のガイド突部４７Ｄがそれぞれ移動して、第１のガイド溝４６Ａ乃至第４のガイド溝４６Ｄの一端部にそれぞれ突き当てられることにより、主機器５２に係止される。
【００１８】
また、バッテリ装置５１は、装着方向に沿って移動操作される際に、装着面部５１Ｂに凹設された装着ガイド溝部４４に、主機器５２の載置面部５２Ｂに一体に突出形成された装着ガイド部５５が挿入され、この装着ガイド部５５が装着ガイド溝部４４に沿って移動される。バッテリ装置５１は、装着ガイド部５５が装着ガイド溝部４４の一端部に突き当てられることにより、主機器５２に係止される。
【００１９】
さらに、バッテリ装置５１は、装着方向に沿って移動操作される際に、装着面部５１Ｂに凹設された装着保持溝部４５に、主機器５２の載置面部５２Ｂに一体に突出形成された装着保持部５７が弾性変位することにより、装着保持溝部４５に装着保持突部５７Ａが係合されて、主機器５２に係止される。
【００２０】
さらにまた、バッテリ装置５１は、主機器５２の装着方向に沿って移動操作される際に、装着面部５１Ｂの取付け溝部４０に移動自在に配設された充電識別用部材４１の一端部に、主機器５２の載置面部５２Ｂに一体に突出形成された操作突部５８が当接する。したがって、このバッテリ装置５１は、装着方向に移動されることに伴って、操作突部５８により充電識別用部材４１が押し込まれる。
【００２１】
そして、主機器５２に装着されたバッテリ装置５１は、装着方向と逆方向に引き出し操作されることによって、装着保持溝部４５の一端部により装着保持部５７が弾性変位されて装着保持突部５７Ａと装着保持溝部４５との係合が解除される。
【００２２】
また、主機器５２に装着されたバッテリ装置５１は、装着方向と逆方向に引き出し操作されることによって、装着面部５１Ｂの取付け溝部４０に移動自在に配設された充電識別用部材４１に凹設された切欠き溝４１Ａに、主機器５２の載置面部５２Ｂに一体に突出形成された係合突部５４Ａが係合する。したがって、このバッテリ装置５１は、装着方向と逆方向に移動されることに伴って、係合突部５４Ａにより充電識別用部材４１が引き出される。
【００２３】
ところで、バッテリ装置５１には、電子機器の使用時間を延長して比較的長時間の使用を可能にするために、２本の充電型電池が並列した状態で収納された一般型のバッテリ装置を二段に重ね合わせた構造の高容量型のバッテリ装置がある。
【００２４】
そして、従来、一般型のバッテリ装置及び高容量型のバッテリ装置は、各々のバッテリ装置を電子機器等に装着する際に、一般型のバッテリ装置と高容量型のバッテリ装置との互換性を有するようにして、電子機器等との装着面部の形状等の構造に共通化が図られている。
【００２５】
しかしながら、ある種の電子機器には、高容量型のバッテリ装置しか使用できない構造のものがある。高容量型のバッテリ装置が装着された電子機器は、比較的長時間の連続使用が可能であり、また長時間の連続使用ができないと、使用する上で不都合が生じる電子機器がある。例えば、携帯用ビデオカメラには、連続撮影を確実に行うために、一般型のバッテリ装置が装着できない構造となっており、高容量型のバッテリ装置しか装着できないものがある。
【００２６】
すなわち、この携帯用ビデオカメラは、長時間の連続撮影を行う際に、一般型のバッテリ装置が装着された場合、バッテリ装置の消耗によって撮影途中で中断されたり、消耗したバッテリ装置を頻繁に充電及び交換する必要があり大変煩わしい。したがって、上述したように、ある種の電子機器は、一般型のバッテリ装置と高容量型バッテリ装置とを確実に識別して、あらかじめ電子機器の使用条件に適したバッテリ装置を装着する必要がある。
【００２７】
一般型のバッテリ装置と高容量型のバッテリ装置とを識別する従来のバッテリ装置の装着装置について、図１３及び図１４を参照して説明する。このバッテリ装置の装着装置における一般型のバッテリ装置５１には、図１３に示すように、装着面部の装着方向と平行な一側面部に、装着面部に開口する開口部を有する識別用凹部５３が凹設され、また主機器５２には、図１４に示すように、一方のガイド壁５２Ｃの内面壁に操作子５４が配設されている。
【００２８】
すなわち、このバッテリ装置の装着装置は、例えば操作子５４が押し込まれると作動（ＯＮ）状態となり、またこの操作子５４を押す負荷がなくなると作動解除（ＯＦＦ）状態となるいわゆるプッシュ式スイッチ等が、主機器５２の一方のガイド壁５２Ｃの内面壁に配設されている。
【００２９】
そして、このバッテリ装置の装着装置は、バッテリ装置５１が主機器５２の載置面部５２Ｂに挿入された際に、バッテリ装置５１の側面部によって主機器５２に配設された操作子５４が押し込まれる。この操作子５４は、バッテリ装置５１に凹設された識別用凹部５３の位置に移動することにより突出して、例えば検出音を鳴らしたり検出光源を点灯させることによって、バッテリ装置５１が検出されたことが知らされる。
【００３０】
【発明が解決しようとする課題】
しかしながら、上述したバッテリ装置の装着装置は、主機器に略有底箱状の装着部が設けられ、この装着部の一側端部に設けられた開口部から挿入されて、バッテリ装置全体が収納される（いわゆるスロット・イン）形式の場合、バッテリ装置が装着される過程で操作子５４が順次ＯＮ状態、ＯＦＦ状態、ＯＮ状態と繰り返し切り替わることになる。
【００３１】
このため、このバッテリ装着の装着装置は、操作子５４が繰り返し頻繁に切り替わることによって、この操作子５４の回路等に好ましくない影響が発生するおそれがあり、また確実に識別することができずに誤検出する可能性があるという問題点がある。
【００３２】
また、このバッテリ装置の装着装置は、主機器５２に装着されたバッテリ装置５１を識別するだけで、主機器５２がバッテリ装置５１の装着を排除する構造ではない。すなわち、このバッテリ装置の装着装置は、バッテリ装置５１が主機器５２に装着がいったん完了した時点での識別を行っており、電子機器の破損防止等を考慮すると、バッテリ装置５１が主機器５２に装着される装着初期状態で識別を行う必要がある。
【００３３】
さらに、このバッテリ装置の装着装置は、主機器５２の一方のガイド壁５２Ｃに、バッテリ装置５１を検出する操作子５４等を配設するスペースを必要とするため、特に小型・薄型化が要望されている携帯用電子機器等には好ましくない。
【００３４】
そこで、本発明は、主機器への装着が不能とされる不適当なバッテリ装置を確実かつ明瞭に識別して、主機器との誤装着を確実に防止するとともに、主機器等の破損を防止することが可能なバッテリ装置を提供することを目的とする。
【００３５】
また、本発明は、主機器への装着が不能とされる不適当なバッテリ装置を確実かつ明瞭に識別して、バッテリ装置が主機器に誤装着されることを確実に防止するとともに、主機器等の破損を防止することが可能なバッテリ装置の装着装置を提供することを目的とする。
【００３６】
【課題を達成するための手段】
上述した目的を達成するため、本発明に係るバッテリ装置は、内部にバッテリ収納部を有し、主機器の載置面部と接合される装着面部が外周部の一側面部に形成された筐体と、この筐体のバッテリ収納部に収納されるバッテリとを備える。また、筐体の装着面部には、この装着面部に直交して主機器側に突き当る突当面に開口する開口端部を有し、この開口端部から主機器への装着方向と平行な識別用溝部が凹設され、筐体には、外周部の装着方向に平行な装着面部と直交する両側面部に少なくとも一対のガイド溝がそれぞれ凹設され、識別用溝部は、装着面部の中心線に対していずれか一方側に偏った位置に凹設されるとともに、この識別用溝部の終端に対してガイド溝の始端が突当面側に位置される。
【００３７】
さらに、バッテリ収納部は、断面円弧状の個別内壁を連設することによって、複数の略円柱状のバッテリを並列して収納可能とする空間部として構成され、個別内壁の肉厚連設部分に対応した装着面部に識別用溝部を凹設する。
【００３８】
また、識別用溝部には、互いに平行な取付け溝部が隣接して凹設されるとともに、この取付け溝部に臨んでバッテリが充電済状態又は未充電状態であるかを表示する充電識別用部材が移動自在に設けられる。さらに、筐体には、識別用溝部の開口端部が設けられた一側面部の両端部に位置して、バッテリ収納部に収納されたバッテリと接続された端子がそれぞれ設けられる。
【００３９】
また、上述した目的を達成するため、本発明に係るバッテリ装置の装着装置は、内部にバッテリ収納部を有し、主機器の載置面部と接合される装着面部が外周部の一側面部に形成された筐体と、この筐体のバッテリ収納部に収納されるバッテリとを備え、筐体の装着面部には、この装着面部に直交して主機器側に突き当る突当面に開口する開口端部を有し、この開口端部から主機器への装着方向と平行な識別用溝部が凹設されたバッテリ装置と、このバッテリ装置が装着される載置面部が外周部の一側面部に形成され、かつこの載置面部と直交する突当面に一端部が連設されてこの載置面部に一体に突出形成されたリブ状の識別用凸部を有する筐体を備えた主機器とから構成される。また、バッテリ装置の識別用溝部に主機器の識別用凸部が挿脱自在に組合わされる。そして、バッテリ装置は、装着方向に平行な装着面部と直交する両側面部に少なくとも一対のガイド溝がそれぞれ凹設され、識別用溝部が、装着面部の中心線に対していずれか一方側に偏った位置に凹設されるとともに、この識別用溝部の終端に対してガイド溝の始端が突当面側に位置され、主機器には、載置面部の両側端部に装着方向に平行な載置面部に直交する少なくとも一対のガイド壁がそれぞれ一体に突出形成されるとともにこれらのガイド壁の内面壁にガイド突部がそれぞれ設けられ、識別用凸部が、載置面部の中心線に対していずれか一方側に偏った位置に一体に突出形成されるとともに、この識別用凸部の終端に対してガイド突部の始端が突当面側に位置される。
【００４１】
さらに、バッテリ装置は、識別用溝部と互いに平行な取付け溝部が隣接して凹設されるとともに、この取付け溝部に臨んでバッテリが充電済状態又は未充電状態であるかを表示する充電識別用部材が移動自在に設けられ、主機器は、識別用凸部の基端部にバッテリ装置に設けられた充電識別用部材を押し込ませる操作部が一体に突出形成される。
【００４２】
さらにまた、充電識別用部材には、主機器の載置面部に臨む切欠き溝が凹設され、主機器には、操作部と中心線が一致する位置に、充電識別用部材に凹設された切欠き溝と係合する係合突部が一体に突出形成される。
【００４３】
【作用】
以上のように構成した本発明に係るバッテリ装置は、識別用溝部が装着面部の中心線に対していずれか一方側に偏った位置に凹設されるとともに、この識別用溝部の終端に対してガイド溝の始端が突当面側に位置されることによって、このバッテリ装置のガイド溝が主機器に当接する装着初期状態で、主機器により識別用溝部が識別される。
【００４４】
また、本発明に係るバッテリ装置の装着装置は、識別用溝部が、バッテリ装置の装着面部の中心線に対していずれか一方側に偏った位置に凹設されるとともに、この識別用溝部の終端に対してガイド溝の始端が突当面側に位置され、また識別用凸部が、主機器の載置面部の中心線に対していずれか一方側に偏った位置に一体に突出形成されるとともに、この識別用凸部の終端に対してガイド突部の始端が突当面側に位置されることによって、バッテリ装置に凹設されたガイド溝に主機器に設けられたガイド突部が当接する装着初期状態で、識別用溝部に識別用凸部が挿入される。
【００４５】
したがって、このバッテリ装置の装着装置は、不適当なバッテリ装置が主機器に装着された際、このバッテリ装置の装着が完了する前に、主機器の識別用凸部がバッテリ装置の装着面部に当接することによって、バッテリ装置を傾斜した状態にする。このため、このバッテリ装置の装着装置は、不適当なバッテリ装置が主機器に装着されることを排除する。
【００４６】
【実施例】
以下、本発明の具体的な実施例について図１乃至図１２を参照して説明する。実施例バッテリ装置１は、従来のバッテリ装置５１と基本構成がほぼ同一であり、内部にバッテリ収納部１Ｂを有する筐体１Ａと、このバッテリ収納部１Ｂに収納される複数本の充電型電池１１と、これらの充電型電池１１とそれぞれ接続された端子１２Ａ、１２Ｂとから構成されている。
【００４７】
筐体１Ａは、図１に示すように、外周部の底面側に位置して略矩形状の装着面部１Ｃを有し、内部に断面略方形状のバッテリ収納部１Ｂが設けられている。このバッテリ収納部１Ｂは、断面円弧状の個別内壁を連設することによって、略円柱状の充電型電池１１を並列して収納可能とする空間部として構成されている。このバッテリ収納部１Ｂには、２本の略円柱状の充電型電池１１が並列した状態で二段に重ね合わされて、４本の充電型電池１１がそれぞれ収納されている。
【００４８】
そして、装着面部１Ｃには、図２に示すように、バッテリ収納部１Ｂの個別内壁の肉厚連設部分に対応位置して、この装着面部１Ｃに直交する突当面に開口する開口端部を有する識別用溝部４が凹設されている。
【００４９】
また、装着面部１Ｃには、図４に示すように、この識別用溝部４に互いに平行な取付け溝部６が隣接して凹設されており、この取付け溝部６に充電識別用部材７が移動自在に配設されている。充電識別用部材７には、装着面部１Ｃに臨んで切欠き溝７Ａが凹設されており、この切欠き溝７Ａに主機器に形成された係合部に係合して、バッテリ装置１が取り外されることによって移動されて引き出される。
【００５０】
さらに、装着面部１Ｃには、識別用溝部４の一端部と連結する略方形状の溝部１４が凹設されている。また、装着面部１Ｃには、この溝部１４の中心線と一致する略中央部に位置して、略矩形状の装着ガイド溝部１５が形成されており、またこの装着ガイド溝部１５の中心線と一致する位置に略矩形状の装着保持溝部１６が凹設されている。
【００５１】
筐体１Ａには、図１及び図３に示すように、外周部の装着方向に平行な装着面部１Ｃと直交する一側面部に、一端部が装着面部１Ｃに開口する略Ｌ字状の第１のガイド溝９Ａ及び第２のガイド溝９Ｂとが、一側面部に亘って直列した状態でそれぞれ凹設されている。また、筐体１Ａには、この第１のガイド溝９Ａに対向位置する第３のガイド溝９Ｃ、及び第２のガイド溝９Ｂに対向位置する第４のガイド溝９Ｄとが、一側面部と対向する側面部に亘って直列した状態でそれぞれ凹設されている。
【００５２】
そして、装着面部１Ｃに凹設された識別用溝部４は、装着面部１Ｃの中心線に対していずれか一方に偏った位置に凹設されるとともに、第１のガイド溝９Ａ及び第３のガイド溝９Ｃにそれぞれ平行な部分を有する長さ寸法に設けられている。換言すれば、第１のガイド溝９Ａ及び第３のガイド溝９Ｃの始端は、識別用溝部４の終端に対して、装着面部１Ｃに直交する突当面側に位置する。
【００５３】
以上のように構成された実施例バッテリ装置１は、識別用溝部４が装着面部１Ｃの中心線に対していずれか一方に偏った位置に凹設されるとともに、この識別溝部４の終端に対して第１のガイド溝９Ａ及び第３のガイド溝９Ｃの始端が装着面部１Ｃに直交する突当面側にそれぞれ位置することによって、このバッテリ装置１の第１のガイド溝９Ａ乃至第４のガイド溝９Ｄが主機器に当接する装着初期状態で、主機器により識別用溝部４を確実に識別することが可能である。このため、バッテリ装置１は、主機器との誤装着を確実に防止するとともに、主機器等の破損を防止することができる。
【００５４】
つぎに、本発明に係るバッテリ装置の装着装置の具体的実施例について図５乃至図１２を参照して説明する。このバッテリ装置の装着装置３は、上述したバッテリ装置１とこのバッテリ装置１が装着される主機器２とから構成される。なお、バッテリ装置の装着装置３を構成するバッテリ装置１については説明を省略する。
【００５５】
主機器２は、バッテリ装置１が装着される載置面部２Ｂを有する筐体２Ａと、バッテリ装置１の端子１２Ａ、１２Ｂと当接してそれぞれ接続される接続端子１３Ａ、１３Ｂとを備える主機器２とから構成されている。
【００５６】
筐体２Ａは、図６及び図７に示すように、載置面部２Ｂに直交する突当面２Ｅに一端部が連設された略Ｌ字状の識別用凸部５が一体に突出形成されている。この識別用凸部５には、基端部に操作部８が一体に突出形成されている。
【００５７】
載置面部２Ｂには、略矩形状の開口部２０が設けられ、この開口部２０の一側端部から略矩形状の係合部１７が一体に突出形成されている。この係合部１７は、基端部を支点として弾性変位自在に形成されており、また先端部に係合突部１７Ａが一体に突出形成されている。
【００５８】
また、載置面部２Ｂには、係合部１７と中心線が一致する位置に略楕円柱状の装着ガイド部１８が一体に突出形成されている。さらに、載置面部２Ｂには、装着ガイド部１８と中心線が一致する位置に、略矩形状の開口部２１が設けられ、この開口部２１の一側端部から略矩形状の装着保持部１９が一体に突出形成されている。この装着保持部１９は、基端部を支点として弾性変位自在に形成されており、また先端部に装着保持突部１９Ａが一体に突出形成されている。
【００５９】
筐体２Ａには、載置面部２Ｂと直交し、かつ装着方向に平行な一対のガイド壁２Ｃ、２Ｄがそれぞれ一体に突出形成され、一方のガイド壁２Ｃの内面壁に、略Ｌ字状の第１のガイド突部１０Ａと第２のガイド突部１０Ｂとが直列した状態でそれぞれ一体に突出形成されている。
【００６０】
また、筐体２Ａには、第１のガイド突部１０Ａ及び第２のガイド突部１０Ｂとがそれぞれ一体に突出形成された一方のガイド壁２Ｃの内面壁と対向位置する他方のガイド壁２Ｄの内面壁に、第１のガイド突部１０Ａと対向する第３のガイド突部１０Ｃ、及び第２のガイド突部１０Ｂと対向する第４のガイド突部１０Ｄとがそれぞれ一体に突出形成されている。
【００６１】
そして、載置面部２Ｂに一体に突出形成された識別用凸部５は、載置面部２Ｂの中心線に対していずれか一方に偏った位置に形成されるとともに、第１のガイド突部１０Ａ及び第３のガイド突部１０Ｃにそれぞれ平行な部分を有する長さ寸法に設けられている。換言すれば、第１のガイド突部１０Ａ及び第３のガイド突部１０Ｃの始端は、識別用突部５の終端に対して、突当面２Ｅ側に位置する。
【００６２】
さらに、筐体２Ａには、載置面部２Ｂと直交する突当面２Ｅの両側端部に、（＋）電極である第１の接続端子１３Ａ及び（ー）電極である第２の接続端子１３Ｂとがそれぞれ設けられている。これら第１の接続端子１３Ａ及び第２の接続端子１３Ｂは、図示しない直流変換部と接続されている。
【００６３】
そして、これら第１の接続端子１３Ａ及び第２の接続端子１３Ｂは、断面略コ字状の保護部材２２によって保護されている。この保護部材２２は、装着方向に移動自在に設けられており、図示しない弾性部材が弾性変位することにより突当面２Ｅ側に移動して、第１の接続端子１３Ａ及び第２の接続端子１３Ｂをこの保護部材２２からそれぞれ突出させる。
【００６４】
以上のように構成されたバッテリ装置の装着装置３によりバッテリ装置１が主機器２に装着される操作、及びバッテリ装置１に配設された充電識別用部材７が移動される動作について以下説明する。まず、バッテリ装置１は、図８に示すように、装着方向に平行な両側面部にそれぞれ凹設された第１のガイド溝９Ａ乃至第４のガイド溝９Ｄに、主機器２の一対のガイド壁２Ｃ、２Ｄの内面壁にそれぞれ一体に突出形成された第１のガイド突部１０Ａ乃至第４のガイド突部１０Ｄがそれぞれ当接される。
【００６５】
そして、バッテリ装置１は、図中矢印で示す装着方向に沿って移動操作されることに伴って、このバッテリ装置１の第１のガイド溝９Ａ乃至第４のガイド溝９Ｄに亘って、主機器２のガイド壁２Ｃ、２Ｄに一体に突出形成された第１のガイド突部１０Ａ乃至第４のガイド突部１０Ｄがそれぞれ移動して、第１のガイド溝９Ａ乃至第４のガイド溝９Ｄの一端部にそれぞれ突き当てられることにより、主機器２に係止される。
【００６６】
また、バッテリ装置１は、装着方向に沿って移動操作される際に、装着面部１Ｃに凹設された装着ガイド溝部１５に、主機器２の載置面部２Ｂに一体に突出形成された装着ガイド部１８が挿入され、この装着ガイド部１８が装着ガイド溝部１５に亘って移動される。バッテリ装置１は、装着ガイド部１８が装着ガイド溝部１５の一端部に突き当てられることにより、主機器２に係止される。
【００６７】
さらに、バッテリ装置１は、装着方向に沿って移動操作される際に、装着面部１Ｃに凹設された装着保持溝部１６に、主機器２の載置面部２Ｂに一体に突出形成された装着保持部１９が弾性変位することにより、装着保持溝部１６に装着保持突部１９Ａが係合されて、主機器２に係止される。
【００６８】
さらにまた、バッテリ装置１は、主機器２の装着方向に沿って移動操作される際に、装着面部１Ｃの取付け溝部６に移動自在に配設された充電識別用部材７の一端部に、主機器２の識別用凸部５に一体に突出形成された操作部８が当接する。したがって、このバッテリ装置１は、装着方向に移動されることに伴って、操作部８により充電識別用部材７が押し込まれる。
【００６９】
そして、主機器２に装着されたバッテリ装置１は、装着方向と逆方向に引き出し操作されることによって、装着保持溝部１６の一端部により装着保持部１９が弾性変位され装着保持突部１９Ａと装着保持溝部１６との係合が解除される。
【００７０】
また、主機器２に装着されたバッテリ装置１は、装着方向と逆方向に引き出し操作されることによって、装着面部１Ｃの取付け溝部６に移動自在に配設された充電識別用部材７に凹設された切欠き溝７Ａに、主機器２の載置面部２Ｂの係合部１７に一体に突出形成された係合突部１７Ａが係合する。したがって、このバッテリ装置１は、装着方向と逆方向に移動されることに伴って、係合突部１７Ａにより充電識別用部材７が引き出される。
【００７１】
つぎに、バッテリ装置１が主機器２に識別される動作について図９乃至図１２を参照して説明する。主機器２にバッテリ装置１が装着される際には、図９及び図１０に示すように、識別用溝部４に沿って識別用凸部５が挿入される。主機器２は、識別用凸部５が識別用溝部４に挿入されることによって、装着されたバッテリ装置１を識別する。
【００７２】
しかしながら、主機器２は、バッテリ装置５１が装着される際に、図１１及び図１２に示すように、バッテリ装置５１の取付け溝部４０の中心線に対して一方側に偏った位置に識別用凸部５が設けられているために、この識別用凸部５がバッテリ装置５１の装着面部５１Ｂに当接することによって識別する。
【００７３】
そして、バッテリ装置５１は、第１のガイド溝４６Ａ乃至第４のガイド溝４６Ｄに、主機器２の第１のガイド突部１０Ａ及び第４のガイド突部１０Ｂがそれぞれ当接する装着初期状態で、識別用凸部５が装着面部５１Ｂに当接することによって傾斜される。したがって、主機器２は、バッテリ装置５１が傾斜されることによって、不適当なバッテリ装置５１が装着されたことを識別する。
【００７４】
上述したように、実施例バッテリ装置の装着装置３は、識別用溝部４が、バッテリ装置１の装着面部１Ｃの中心線に対していずれか一方側に偏った位置に凹設されるとともに、この識別用溝部４の終端に対して第１のガイド溝９Ａ及び第２のガイド溝９Ｃの始端が装着面部１Ｃに直交する突当面側にそれぞれ位置され、また、識別用凸部５が、主機器２の載置面部２Ｂの中心線に対していずれか一方側に偏った位置に一体に突出形成されるとともに、この識別用凸部５の終端に対して第１のガイド突部１０Ａ及び第３のガイド突部１０Ｃの始端が突当面２Ｅ側にそれぞれ位置されている。
【００７５】
このため、バッテリ装置の装着装置３は、バッテリ装置１に凹設された第１のガイド溝９Ａ乃至第４のガイド溝９Ｄに、主機器２に設けられた第１のガイド突部１０Ａ乃至第４のガイド突部１０Ｄがそれぞれ当接する装着初期状態で、識別用溝部４に識別用凸部５が挿入される。
【００７６】
このため、バッテリ装置の装着装置３は、バッテリ装置５１が主機器２に装着される装着完了前に、識別用凸部５によりバッテリ装置５１を確実かつ明瞭に識別することができ、バッテリ装置５１の装着を排除することが可能である。
【００７７】
なお、本発明に係るバッテリ装置の装着装置は、バッテリ装置が装着される主機器を、バッテリ装置に充電を行う充電機としたが、充電機に限定されるものではなく、例えば携帯型ビデオカメラ装置等の電子機器の筐体に構成してもよい。
【００７８】
【発明の効果】
上述したように本発明に係るバッテリ装置によれば、識別用溝部が装着面部の中心線に対していずれか一方に偏った位置に凹設されるとともに、この識別用溝部の終端に対してガイド溝の始端が突当面側に位置されたことによって、このバッテリ装置のガイド溝が、主機器に当接する装着初期状態で、主機器により識別用溝部を確実かつ明瞭に識別することができるため、誤装着を確実に防止することが可能であるとともに主機器等の破損を防止することができる。
【００７９】
また、本発明に係るバッテリ装置の装着装置によれば、識別用溝部が、バッテリ装置の装着面部の中心線に対していずれか一方側に偏った位置に凹設されるとともに、この識別用溝部の終端に対してガイド溝の始端が突当面側に位置されたことによって、また識別用凸部が、主機器の載置面部の中心線に対していずれか一方側に偏った位置に一体に突出形成されるとともに、この識別用凸部の終端に対してガイド突部の始端が突当面側に位置されたことによって、バッテリ装置が主機器に装着される装着初期状態で、識別用凸部によりバッテリ装置を確実かつ明瞭に識別することができる。
すなわち、不適当なバッテリ装置は、その装着面部が識別用凸部に当接して傾斜されるので、確実かつ明瞭に識別することができる。このため、不適当なバッテリ装置の装着を確実に防止することが可能であるとともに主機器等の破損を防止することができる。
【図面の簡単な説明】
【図１】本発明に係る実施例バッテリ装置の装着面部を示す平面図である。
【図２】同バッテリ装置を示す正面図である。
【図３】同バッテリ装置を示す側面図である。
【図４】同バッテリ装置の装着面部を示す要部斜視図である。
【図５】本発明に係るバッテリ装置の装着装置を構成する主機器とバッテリ装置との装着状態を示す斜視図である。
【図６】同バッテリ装置の装着装置を構成する主機器を示す平面図である。
【図７】同バッテリ装置の装着装置を構成する主機器を示すＡ−Ａ縦断面図である。
【図８】同バッテリ装置の装着装置を構成する主機器にバッテリ装置が装着される状態を説明するために示す部分縦断面図である。
【図９】同バッテリ装置の装着装置を構成する主機器とバッテリ装置との装着状態を説明するために示す要部平面図である。
【図１０】同バッテリ装置の装着装置を構成する主機器とバッテリ装置との装着状態を説明するために示す要部正面図である。
【図１１】同バッテリ装置の装着装置を構成する主機器とバッテリ装置との装着状態を説明するために示す要部平面図である。
【図１２】同バッテリ装置の装着装置を構成する主機器とバッテリ装置との装着状態を説明するために示す要部正面図である。
【図１３】従来のバッテリ装置を示す平面図である。
【図１４】従来のバッテリ装着が装着される主機器を示す平面図である。
【符号の説明】
１  バッテリ装置
１Ａ  筐体
１Ｂ  バッテリ収納部
１Ｃ  装着面部
２  主機器
２Ａ  筐体
２Ｂ  載置面部
２Ｃ、２Ｄ  ガイド壁
４  識別用溝部
５  識別用凸部
６  取付け溝部
７  充電識別用部材
８  操作部
９Ａ、９Ｂ、９Ｃ、９Ｄ  ガイド溝
１０Ａ、１０Ｂ、１０Ｃ、１０Ｄ  ガイド突部
【図１】
0003627260.tif 000002
【図２】
0003627260.tif 000003
【図３】
0003627260.tif 000004
【図４】
0003627260.tif 000005
【図５】
0003627260.tif 000006
【図６】
0003627260.tif 000007
【図７】
0003627260.tif 000008
【図８】
0003627260.tif 000009
【図９】
0003627260.tif 000010
【図１０】
0003627260.tif 000011
【図１１】
0003627260.tif 000012
【図１２】
0003627260.tif 000013
【図１３】
0003627260.tif 000014
【図１４】
0003627260.tif 000015